(57)【要約】【課題】筐体が押されることによるスイッチの誤作動を抑制できる電子機器を提供する。【解決手段】電子機器１は、カバー１２を有する筐体１０と、カバー１２に設けられて外部入力を受ける入力部２２と、筐体１０の内部に収容されるとともに、入力部２２により操作されるスイッチ５１が設けられた回路基板３６と、回路基板３６をカバー１２に支持する支持部材３７と、支持部材３７に一体に設けられて、支持部材３７との間で回路基板３６を挟む係止部７１とを具備している。【選択図】    図２
2011128986.tif 000002
【特許請求の範囲】
【請求項１】
カバーを有する筐体と、
前記カバーに設けられて外部入力を受ける入力部と、
前記筐体の内部に収容されるとともに、前記入力部により操作されるスイッチが設けられた回路基板と、
前記回路基板を前記カバーに支持する支持部材と、
前記支持部材に一体に設けられて、前記支持部材との間で前記回路基板を挟む係止部と、
を具備することを特徴とする電子機器。
【請求項２】
前記カバーは、前記入力部が露出された上壁と、側壁とを含み、
前記支持部材は、前記側壁に向かって突出する当接部を有し、
前記上壁は、前記当接部に向かって突出する突出部を有することを特徴とする請求項1に記載の電子機器。
【請求項３】
前記回路基板と前記支持部材とを固定する一対の固定具をさらに具備し、
前記回路基板は、第１の端部と、前記第１の端部の反対側に位置された第２の端部とを含み、前記第１の端部および前記第２の端部は、前記一対の固定具によってそれぞれ前記支持部材に固定され、
前記係止部は、前記一対の固定具の間において前記支持部材との間で前記回路基板を挟むことを特徴とする請求項２に記載の電子機器。
【請求項４】
前記回路基板は、側縁部を含み、
前記支持部材の当接部は、前記側縁部に沿って並ぶ一対の受け部を含み、
前記突出部は、前記一対の受け部に向かってそれぞれ突出する一対の凸部を含み
前記係止部は、前記一対の受け部の間において前記支持部材との間で前記回路基板を挟むことを特徴とする請求項２に記載の電子機器。
【請求項５】
前記回路基板は、側縁部を含み、
前記係止部は、前記支持部材と協働して前記側縁部を挟む爪部を有することを特徴とする請求項３に記載の電子機器。
【請求項６】
前記回路基板は、前記カバーに対向するとともに前記スイッチが設けられた第１の面と、前記第１の面の反対側に位置するとともに電子部品が実装された第２の面と、を含み、
前記支持部材には、前記電子部品を避ける開口部が設けられたことを特徴とする請求項５に記載の電子機器。
【請求項７】
前記係止部は、前記開口部を定める前記支持部材の縁部から突出していることを特徴とする請求項６に記載の電子機器。
【請求項８】
前記支持部材は、前記側壁の方向から前記回路基板を支持する第１の支持部分と、前記第１の支持部分の反対側から前記回路基板を支持する第２の支持部分とを含み、
前記第１の支持部分が前記回路基板と当接した面積は、前記第２の支持部分が前記回路基板と当接した面積よりも広いことを特徴とする請求項７に記載の電子機器。
【請求項９】
前記爪部は、前記側壁の方向から前記回路基板に向かって延びた形状を有することを特徴とする請求項５に記載の電子機器。
【請求項１０】
前記入力部は、クリック操作用のボタンであることを特徴とする請求項１に記載の電子機器。
【発明の詳細な説明】
【技術分野】
【０００１】
本発明は、回路基板を支持する支持部材を備えた電子機器に関する。
【背景技術】
【０００２】
ポータブルコンピュータのような電子機器は、キーボード、タッチパッド、およびクリック操作用のボタンのような種々の入力装置を備えている。例えばクリック操作用のボタンでは、筐体の外部に露出された入力部をユーザが押すことにより、回路基板に設けられたスイッチが操作されて接点する。
【０００３】
上記のスイッチが設けられた回路基板は、金属板のような支持部材に取り付けられて筐体に固定される。例えば特許文献１に開示されるスイッチ構造では、スイッチ基板は押さえ板によって背面から押さえられ、ビスによってカバーの壁部に固定される。
【先行技術文献】
【特許文献】
【０００４】
【特許文献１】特開２００３−１３２７５８号公報
【発明の概要】
【発明が解決しようとする課題】
【０００５】
上記のクリック操作用のボタンでは、筐体の入力部の周辺部分が外部から強く押し下げられると、筐体に固定された入力部も一緒に押し下げられてしまう。入力部が押し下げられると、ユーザがスイッチを押していないにもかかわらず、スイッチが操作されて接点する。
【０００６】
ポータブルコンピュータのような電子機器は、持ち運びを容易にするために薄型化および軽量化が求められる。このような電子機器では、入力部とスイッチとの間の距離が狭くなっている。このため、上記のように、筐体の押し下げによるスイッチの接点が起こりやすい。
【０００７】
本発明の目的は、筐体が押されることによるスイッチの誤作動を抑制できる電子機器を提供することである。
【課題を解決するための手段】
【０００８】
上記目的を達成するための本発明の一つの形態に係る電子機器は、  
カバーを有する筐体と、前記カバーに設けられて外部入力を受ける入力部と、前記筐体の内部に収容されるとともに、前記入力部により操作されるスイッチが設けられた回路基板と、前記回路基板を前記カバーに支持する支持部材と、前記支持部材に一体に設けられて、前記支持部材との間で前記回路基板を挟む係止部とを具備している。
【発明の効果】
【０００９】
本発明の電子機器によれば、筐体が押されることによるスイッチの誤作動を抑制できる。
【図面の簡単な説明】
【００１０】
【図１】本発明の一つの実施の形態にかかるポータブルコンピュータを示す斜視図。
【図２】図１のポータブルコンピュータを分解して示す斜視図。
【図３】図１のポータブルコンピュータのメイン筐体の内部を示す縦断面図。
【図４】図１のメイン筐体のカバーの内側を示す斜視図。
【図５】図２のスイッチ基板および支持部材を示す平面図。
【図６】図５のＦ６−Ｆ６線に沿って示す断面図。
【図７】図６の支持部材が撓ませられた状態を示す断面図。
【発明を実施するための形態】
【００１１】
以下に、本発明の一つの実施の形態を図１ないし図７に基づいて説明する。なお、本明細書において、手前側（即ちユーザ側）を前方向、ユーザから見て奥側を後方向、ユーザから見て左側を左方向、ユーザから見て右側を右方向、ユーザから見て上方を上方向、ユーザから見て下方を下方向と定義する。
【００１２】
図１は、キーボードのキーを一部除いてポータブルコンピュータ１を示している。ポータブルコンピュータ１は、電子機器の一例である。図１に示すように、ポータブルコンピュータ１は、コンピュータ本体２と、ディスプレイユニット３とを有している。
【００１３】
コンピュータ本体２は、偏平な箱状のメイン筐体１０を備えている。メイン筐体１０は、筐体の一例である。メイン筐体１０は、ベース１１と、上方向からベース１１に重ねられたカバー１２とを有している。
【００１４】
カバー１２は、上壁１４と、側壁１５とを含んでいる。側壁１５は、上壁１４の前方向の端部に設けられている。上壁１４は、上面１４ａを有している。上面１４ａに、キーボード取付部１７と、アームレスト１８と、タッチパッド２１と、一対のボタン２２とが設けられている。ボタン２２は、クリック操作用のボタンであって、入力部の一例である。
【００１５】
タッチパッド２１は、上壁１４の外部に露出された検知面２１ａを有している。タッチパッド２１は、検知面２１ａでの物体の移動を検知する。例えば、タッチパッド２１は、検知面２１ａを移動するユーザの指先の動きを検知する。
【００１６】
キーボード取付部１７は、上面１４ａの後方向に設けられている。アームレスト１８は、上面１４ａの前方向に設けられている。タッチパッド２１および一対のボタン２２は、それぞれアームレスト１８の中央部に設けられている。
【００１７】
キーボード取付部１７に、キーボード２５が支持されている。メイン筐体１０の内部に、マザーボード２６が収容されている。マザーボード２６には、ＣＰＵのような種々の電子部品が実装されている。
【００１８】
ディスプレイユニット３は、コンピュータ本体２の後端に一対のヒンジ部２８を介して連結されている。ディスプレイユニット３は、ヒンジ部２８を支点として、コンピュータ本体２の上に横たわる閉じ位置と、コンピュータ本体２の後端から起立する開き位置との間で回動可能となっている。
【００１９】
ディスプレイユニット３は、偏平な箱状のディスプレイ筐体３１と、ディスプレイ筐体３１に収容されたディスプレイモジュール３２とを備えている。ディスプレイモジュール３２は、例えば液晶ディスプレイである。ディスプレイ筐体３１の前面にディスプレイ開口部３１ａが設けられている。ディスプレイ開口部３１ａは、ディスプレイモジュール３２のスクリーン３２ａをディスプレイユニット３の外に露出させる。
【００２０】
図２は、コンピュータ本体２を分解して一部の部品を示している。図２に示すように、メイン筐体１０の内部に、スイッチ基板３６と、支持部材３７とが収容されている。スイッチ基板３６は、回路基板の一例である。
【００２１】
以下、各図を参照しながら、ボタン２２と、スイッチ基板３６と、支持部材３７とについてそれぞれ説明する。  
図３は、ボタン２２の周辺におけるメイン筐体１０の内部を示している。図３に示すように、一対のボタン２２は、露出面４１と、操作部４２とをそれぞれ有している。露出面４１は、上壁１４の外部に露出されている。操作部４２は、メイン筐体１０の内部に向かって突出している。
【００２２】
一対のボタン２２は、それぞれアームレスト１８に対して、メイン筐体１０の内部に向かって沈み込むように弾性的に変位可能である。すなわち、ボタン２２は、ユーザの指先で押されるような外部入力を受けると、メイン筐体１０の内部に向かって沈み込む。
【００２３】
図２に示すように、スイッチ基板３６は、第１の端部４５と、第２の端部４６と、側縁部４７と、第１の面４８と、第２の面４９（図３に示す）とを含んでいる。第２の端部４６は、第１の端部の反対側に位置されている。第１の面４８は、カバー１２に対向している。第２の面４９は、第１の面４８の反対側に位置されている。
【００２４】
スイッチ基板３６の第１の面４８には、一対のスイッチ５１が設けられている。一対のスイッチ５１は、一対のボタン２２の操作部４２が延びる方向にそれぞれ位置している。スイッチ５１は、ボタン２２がメイン筐体１０の内部に向かって沈み込むと、操作部４２に押されて接点する。すなわち、スイッチ５１は、ボタン２２によって操作される。
【００２５】
図４は、ボタン２２の周辺におけるカバー１２の内側を示している。図４に示すように、スイッチ基板３６の第２の面４９には、コネクタ５２が実装されている。コネクタ５２は、電子部品の一例である。
【００２６】
コネクタ５２には、ケーブルが接続される。コネクタ５２にケーブルが接続されると、スイッチ基板３６と、例えばマザーボード２６のような他の部品とが、当該ケーブルによって電気的に接続される。
【００２７】
図５は、スイッチ基板３６および支持部材３７を示している。図５に示すように、支持部材３７は、パッド支持部５５と、基板支持部５６と、当接部５７と、複数の部材固定部５８とを有している。
【００２８】
図４に示すように、複数の部材固定部５８は、支持部材３７の右方向および左方向の端部にそれぞれ設けられている。複数の部材固定部５８は、複数のねじ５９によって、上壁１４の内面１４ｂにそれぞれ固定されている。
【００２９】
パッド支持部５５は、上壁１４の内面１４ｂとの間でタッチパッド２１を挟んでいる。パッド支持部５５は、タッチパッド２１をカバー１２に支持している。
【００３０】
図２に示すように、基板支持部５６は、スイッチ基板３６をカバー１２に支持している。図４に示すように、基板支持部５６に開口部６１が設けられている。開口部６１は、支持部材３７の縁部３７ａによって定められるとともに、コネクタ５２を避ける形状に設けられている。
【００３１】
基板支持部５６は、第１の支持部分６２と、第２の支持部分６３とを含んでいる。第１の支持部分６２は、メイン筐体１０の側壁１５の方向からスイッチ基板３６を支持する部分である。第２の支持部分６３は、第１の支持部分６２の反対側からスイッチ基板３６を支持する部分である。すなわち、第２の支持部分６３は、後方向からスイッチ基板３６を支持する部分である。
【００３２】
第１の支持部分６２がスイッチ基板３６と当接した面積は、第２の支持部分６３がスイッチ基板３６と当接した面積よりも広い。すなわち、前方向からスイッチ基板３６を支持する第１の支持部分６２は、後方向からスイッチ基板３６を支持する第２の支持部分６３よりも広い面積でスイッチ基板３６を支持している。
【００３３】
図２に示すように、スイッチ基板３６の第１の端部４５および第２の端部４６は、一対の固定ねじ６４によってそれぞれ基板支持部５６に固定されている。固定ねじ６４は、固定具の一例である。すなわち、固定ねじ６４は、スイッチ基板３６と支持部材３７とを固定している。
【００３４】
図２に示すように、当接部５７は、一対の受け部６５を含んでいる。一対の受け部６５は、スイッチ基板３６の側縁部４７に沿って並んでいる。受け部６５は、側壁１５に向かって突出している。
【００３５】
図３に示すように、カバー１２の上壁１４は、突出部６６を有している。突出部６６は、一対の凸部６７を含んでいる。一対の凸部６７は、上壁１４の内面１４ｂから、当接部５７の一対の受け部６５に向かって、それぞれ突出している。
【００３６】
図２に示すように、支持部材３７に一対の係止部７１が設けられている。一対の係止部７１は、支持部材３７にそれぞれ一体に形成されている。図３に示すように、一対の係止部７１は、側壁１５の方向の縁部３７ａから上壁１４に向かって突出している。すなわち、一対の係止部７１は、前方向の縁部３７ａから突出している。
【００３７】
係止部７１は、爪部７２を有している。図３に示すように、爪部７２は、側壁１５の方向から、スイッチ基板３６に向かって延びた形状を有している。爪部７２は、支持部材３７と協働して、スイッチ基板３６の側縁部４７を挟んでいる。すなわち、爪部７２は、支持部材３７との間でスイッチ基板３６を挟んでいる。
【００３８】
図６は、図５のＦ６−Ｆ６線に沿って、スイッチ基板３６および支持部材３７を示している。図６に示すように、爪部７２は、一対の固定ねじ６４の間において、支持部材３７との間でスイッチ基板３６を挟んでいる。
【００３９】
さらに、図５に示すように、一対の係止部７１は、一対の受け部６５の間に位置している。爪部７２は、一対の受け部６５の間において、支持部材３７との間でスイッチ基板３６を挟んでいる。
【００４０】
前記構成のポータブルコンピュータ１によれば、アームレスト１８が外部から押し下げられると、図３に示す突出部６６の一対の凸部６７も押し下げられる。一対の凸部６７は、押し下げられると、当接部５７の一対の受け部６５にそれぞれ当接する。受け部６５が凸部６７によって下方向に向かって押圧されると、支持部材３７は、下方向に向かって撓ませられる。
【００４１】
図７は、支持部材３７が撓ませられた状態を示している。図７に示すように、支持部材３７が下方向に向かって撓ませられると、爪部７２によってスイッチ基板３６も下方向に向かって撓ませられる。図７中の二点鎖線で示す位置Ａは、スイッチ基板３６および支持部材３７が撓ませられる前の位置を示している。
【００４２】
上記のように、アームレスト１８が外部から押し下げられると、スイッチ基板３６が下方向に向かって撓ませられる。アームレスト１８が外部から押し下げられると、ボタン２２の操作部４２も押し下げられる。しかし、スイッチ基板３６は、アームレスト１８と共に下方向に向かって撓ませられるため、操作部４２から逃げる。したがって、アームレスト１８が押されることによって、スイッチ５１が接点するような誤作動を抑制できる。
【００４３】
さらに、図３に示すように、受け部６５は、上壁１４の前方向の端部に設けられた側壁１５に向かって突出している。アームレスト１８の前方向の端部は、撓みやすくなっていることがある。しかし、アームレスト１８の前方向の端部が大きく撓ませられたとしても、側壁１５に向かって突出する受け部６５が凸部６７を受け止める。これにより、アームレスト１８の撓みと同程度に支持部材３７を撓ませて、スイッチ基板３６をボタン２２の操作部４２から逃がすことができる。
【００４４】
図４に示すように、前方向からスイッチ基板３６を支持する第１の支持部分６２は、後方向からスイッチ基板３６を支持する第２の支持部分６３よりも広い面積でスイッチ基板３６を支持している。これにより、アームレスト１８の前方向の端部が大きく撓ませられたとしても、第１の支持部分６２が、第２の支持部分６３よりも広い面積でスイッチ基板３６を支持する。これにより、スイッチ基板３６が必要以上に撓ませられることを防止できる。
【００４５】
図７に示すように、支持部材３７が下方向に向かって撓ませられると、スイッチ基板３６も下方向に向かって撓ませられる。このように、スイッチ基板３６の強度が加わるため、支持部材３７およびアームレスト１８は撓みにくくなる。したがって、ポータブルコンピュータ１の強度を向上させることができる。
【００４６】
なお、本発明は上記実施の形態に特定されるものではなく、発明の趣旨を逸脱しない範囲内で種々変更して実施可能である。例えば、固定具として、固定ねじの代わりに両面テープや接着剤を用いても良い。さらに、係止部は爪部の代わりに、例えば回路基板の上面に亘って設けられる梁部を有していても良い。
【符号の説明】
【００４７】
１…ポータブルコンピュータ，１０…メイン筐体，１２…カバー，２２…ボタン，３６…スイッチ基板，３７…支持部材，５１…スイッチ，７１…係止部。
【図１】
2011128986.tif 000003
【図２】
2011128986.tif 000004
【図３】
2011128986.tif 000005
【図４】
2011128986.tif 000006
【図５】
2011128986.tif 000007
【図６】
2011128986.tif 000008
【図７】
2011128986.tif 000009
【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
カバーを有する筐体と、
前記カバーに設けられて外部入力を受ける入力部と、
前記筐体の内部に収容されるとともに、前記入力部により操作されるスイッチが設けられた回路基板と、
前記回路基板を前記カバーと反対側から支持した支持部材と、
前記カバーの移動に伴い前記支持部材を押圧する押部と、
前記支持部材と一体に設けられ、前記回路基板に当接する部分を有し、前記押部からの押圧を受けて前記回路基板を移動させる係止部と、
を具備することを特徴とする電子機器。
【請求項２】
前記カバーは、前記入力部が露出された上壁と、側壁とを含み、
前記支持部材は、前記側壁に向かって突出する当接部を有し、
前記押部は、前記上壁から前記当接部に向かって突出した突出部を有することを特徴とする請求項1に記載の電子機器。
【請求項３】
前記回路基板と前記支持部材とを固定する一対の固定具をさらに具備し、
前記回路基板は、第１の端部と、前記第１の端部の反対側に位置された第２の端部とを含み、前記第１の端部および前記第２の端部は、前記一対の固定具によってそれぞれ前記支持部材に固定され、
前記係止部は、前記一対の固定具の間において前記回路基板に当接する請求項２に記載の電子機器。
【請求項４】
前記回路基板は、側縁部を含み、
前記支持部材の当接部は、前記側縁部に沿って並ぶ一対の受け部を含み、
前記突出部は、前記一対の受け部に向かってそれぞれ突出する一対の凸部を含み
前記係止部は、前記一対の受け部の間において前記回路基板に当接する請求項２に記載の電子機器。
【請求項５】
前記回路基板は、側縁部を含み、
前記係止部は、前記支持部材と協働して前記側縁部を挟む爪部を有することを特徴とする請求項３に記載の電子機器。
【請求項６】
前記回路基板は、前記カバーに対向するとともに前記スイッチが設けられた第１の面と、前記第１の面の反対側に位置するとともに電子部品が実装された第２の面と、を含み、
前記支持部材には、前記電子部品を避ける開口部が設けられたことを特徴とする請求項５に記載の電子機器。
【請求項７】
前記係止部は、前記開口部を定める前記支持部材の縁部から突出していることを特徴とする請求項６に記載の電子機器。
【請求項８】
前記支持部材は、前記側壁の方向から前記回路基板を支持する第１の支持部分と、前記第１の支持部分の反対側から前記回路基板を支持する第２の支持部分とを含み、
前記第１の支持部分が前記回路基板と当接した面積は、前記第２の支持部分が前記回路基板と当接した面積よりも広いことを特徴とする請求項７に記載の電子機器。
【請求項９】
前記爪部は、前記側壁の方向から前記回路基板に向かって延びた形状を有することを特徴とする請求項５に記載の電子機器。
【請求項１０】
前記入力部は、クリック操作用のボタンであることを特徴とする請求項１に記載の電子機器。
【手続補正２】
【補正対象書類名】明細書
【補正対象項目名】０００８
【補正方法】変更
【補正の内容】
【０００８】
実施形態に係る電子機器は、
カバーを有する筐体と、前記カバーに設けられて外部入力を受ける入力部と、前記筐体の内部に収容されるとともに、前記入力部により操作されるスイッチが設けられた回路基板と、前記回路基板を前記カバーと反対側から支持した支持部材と、前記カバーの移動に伴い前記支持部材を押圧する押部と、前記支持部材と一体に設けられ、前記回路基板に当接する部分を有し、前記押部からの押圧を受けて前記回路基板を移動させる係止部とを具備している。
【手続補正３】
【補正対象書類名】明細書
【補正対象項目名】００４６
【補正方法】変更
【補正の内容】
【００４６】
なお、本発明は上記実施の形態に特定されるものではなく、発明の趣旨を逸脱しない範囲内で種々変更して実施可能である。例えば、固定具として、固定ねじの代わりに両面テープや接着剤を用いても良い。さらに、係止部は爪部の代わりに、例えば回路基板の上面に亘って設けられる梁部を有していても良い。
以下、本願の出願当初の特許請求の範囲に記載された発明を付記する。
［１］  カバーを有する筐体と、
前記カバーに設けられて外部入力を受ける入力部と、
前記筐体の内部に収容されるとともに、前記入力部により操作されるスイッチが設けられた回路基板と、
前記回路基板を前記カバーに支持する支持部材と、
前記支持部材に一体に設けられて、前記支持部材との間で前記回路基板を挟む係止部と、
を具備することを特徴とする電子機器。
［２］  前記カバーは、前記入力部が露出された上壁と、側壁とを含み、
前記支持部材は、前記側壁に向かって突出する当接部を有し、
前記上壁は、前記当接部に向かって突出する突出部を有することを特徴とする［１］に記載の電子機器。
［３］  前記回路基板と前記支持部材とを固定する一対の固定具をさらに具備し、
前記回路基板は、第１の端部と、前記第１の端部の反対側に位置された第２の端部とを含み、前記第１の端部および前記第２の端部は、前記一対の固定具によってそれぞれ前記支持部材に固定され、
前記係止部は、前記一対の固定具の間において前記支持部材との間で前記回路基板を挟むことを特徴とする［２］に記載の電子機器。
［４］  前記回路基板は、側縁部を含み、
前記支持部材の当接部は、前記側縁部に沿って並ぶ一対の受け部を含み、
前記突出部は、前記一対の受け部に向かってそれぞれ突出する一対の凸部を含み
前記係止部は、前記一対の受け部の間において前記支持部材との間で前記回路基板を挟むことを特徴とする［２］に記載の電子機器。
［５］  前記回路基板は、側縁部を含み、
前記係止部は、前記支持部材と協働して前記側縁部を挟む爪部を有することを特徴とする［３］に記載の電子機器。
［６］  前記回路基板は、前記カバーに対向するとともに前記スイッチが設けられた第１の面と、前記第１の面の反対側に位置するとともに電子部品が実装された第２の面と、を含み、
前記支持部材には、前記電子部品を避ける開口部が設けられたことを特徴とする［５］に記載の電子機器。
［７］  前記係止部は、前記開口部を定める前記支持部材の縁部から突出していることを特徴とする［６］に記載の電子機器。
［８］  前記支持部材は、前記側壁の方向から前記回路基板を支持する第１の支持部分と、前記第１の支持部分の反対側から前記回路基板を支持する第２の支持部分とを含み、
前記第１の支持部分が前記回路基板と当接した面積は、前記第２の支持部分が前記回路基板と当接した面積よりも広いことを特徴とする［７］に記載の電子機器。
［９］  前記爪部は、前記側壁の方向から前記回路基板に向かって延びた形状を有することを特徴とする［５］に記載の電子機器。
［１０］  前記入力部は、クリック操作用のボタンであることを特徴とする［１］に記載の電子機器。